(57)【要約】【課題】既設建物において入居したままでの配管が可能であり、最小限の改修にとどめることができる水道連結型スプリンクラー設備を提供する。【解決手段】水道本管から分岐した給水管３と、往き用給水ヘッダー１と、還り用給水ヘッダー２と、給水管３と往き用給水ヘッダー１とを接続する第１給水配管４と、複数のスプリンクラーヘッド５と、往き用給水ヘッダー１の各分岐口６と各スプリンクラーヘッド５とを接続する往き用分岐管８と、還り用給水ヘッダー２の各分岐口７と各スプリンクラーヘッド５とを接続する還り用分岐管９とを備える。還り用給水ヘッダー２の二次側端部とトイレ等の給水栓１２とを第２給水配管１３で接続する。【選択図】図１
2010046371.tif 000002
【特許請求の範囲】
【請求項１】
水道本管から分岐した給水管と、往き用給水ヘッダー及び還り用給水ヘッダーの２個の給水ヘッダーと、前記給水管と前記往き用給水ヘッダーとを接続する第１給水配管と、複数のスプリンクラーヘッドと、前記往き用給水ヘッダーの各分岐口と各スプリンクラーヘッドとを接続する往き用分岐管と、前記還り用給水ヘッダーの各分岐口と前記各スプリンクラーヘッドとを接続する還り用分岐管とを備えており、前記還り用給水ヘッダーの二次側端部とトイレ等の給水栓とを第２給水配管で接続していることを特徴とする、水道連結型スプリンクラー設備。
【請求項２】
火災感知器を備え、前記第１給水配管と前記第２給水配管との間に前記火災感知器に連動して開く弁を介在させている、請求項１記載の水道連結型スプリンクラー設備。
【発明の詳細な説明】
【技術分野】
【０００１】
本発明は、老人ホームや障害者支援設備等の特定施設などに好適に備えつけられる水道連結型スプリンクラー設備に関する。
【背景技術】
【０００２】
一般住宅において水道配管と接続すべく設置される水道連結型スプリンクラー設備として、たとえば、水道本管から分岐した給水管の途中にＴ型継手を接続し、このＴ型継手の分岐口にスプリンクラーヘッドを接続するものがある（例えば、特許文献１参照。）。この場合、衛生目的で配管内に水道水が停滞しないようにするためにトイレなど日常生活に使われる給水栓に直結し、スプリンクラーヘッドまでの配管内を常時充水しておくようにしている。
【０００３】
【特許文献１】特開２００５−３３７号公報
【発明の開示】
【発明が解決しようとする課題】
【０００４】
しかしながら、従来の分岐工法を採用する上記水道連結型スプリンクラー設備では、天井裏に入って配管工事を行わなければならず、このような水道連結型スプリンクラー設備を新築に際して備えつける場合は問題ないが、既設建物に備えつける場合は、入居したままでの配管が必要であり、既設天井を破る等の工事はできるだけ避けて最小限の改修にとどめる必要がある。
【０００５】
本発明は、このような要望に応えるべく、給水ヘッダー工法を採用することにより既設建物においても入居したままでの配管が可能であり、最小限の改修にとどめることができる水道連結型スプリンクラー設備を提供することを目的とする。
【課題を解決するための手段】
【０００６】
本発明の水道連結型スプリンクラー設備は、請求項１に記載のように、水道本管から分岐した給水管と、往き用給水ヘッダーと、還り用給水ヘッダーと、前記給水管と前記往き用給水ヘッダーとを接続する第１給水配管と、複数のスプリンクラーヘッドと、前記往き用給水ヘッダーの各分岐口と各スプリンクラーヘッドとを接続する往き用分岐管と、前記還り用給水ヘッダーの各分岐口と前記各スプリンクラーヘッドとを接続する還り用分岐管とを備えており、前記還り用給水ヘッダーの二次側端部とトイレ等の給水栓とを第２給水配管で接続していることに特徴を有するものである。
このような構成によると、往き用給水ヘッダーと還り用給水ヘッダーの２個の給水ヘッダーを備え、一対の往き用分岐管と還り用分岐管により各スプリンクラーヘッドとを接続し、還り用給水ヘッダーの二次側端部とトイレ等の給水栓とを接続していることにより、停滞水および停滞空気の発生を防止できる。そのうえ、既設建物の天井の点検口を利用し、この点検口または点検口の近傍に往き用給水ヘッダー及び還り用給水ヘッダーを設置することで、天井をはがさないで済み、入居したままでの配管が可能であり、最小限の改修にとどめることができる。
【０００７】
請求項１記載の水道連結型スプリンクラー設備は、請求項２に記載のように、火災感知器を備え、前記第１給水配管と前記第２給水配管との間に前記火災感知器に連動して開く弁を介在させた構成を採用することができる。この構成によると、往き用分岐管の管径が細くてスプリンクラーヘッドから十分に散水できない場合も、弁を開くことによりスプリンクラーヘッドには往き用分岐管と還り用分岐管の双方から水道水を送ることができるので、該スプリンクラーヘッドからの散水量の低下を防止できる。
【発明の効果】
【０００８】
本発明の水道連結型スプリンクラー設備によれば、停滞水および停滞空気の発生を防止できるうえ、既設建物においても入居したままでの配管が可能であり、最小限の改修にとどめることができるという利点がある。
【発明を実施するための最良の形態】
【０００９】
以下、本発明の好適な実施例を図面に基づき説明する。図１は本発明の一実施例の水道連結型スプリンクラー設備の構成図、図２は図１の水道連結型スプリンクラー設備に使用する末端継手の外観斜視図である。
【００１０】
図１に示すように、本発明に係る水道連結型スプリンクラー設備は、既設建物の天井の点検口（図示せず）または点検口の近傍に、往き用給水ヘッダー１と還り用給水ヘッダー２の２個の給水ヘッダーを設置する。往き用給水ヘッダー１は水道本管から分岐した給水管３とポリブテン管等よりなる第１給水配管４で接続する。そして、天井に設置される複数の閉鎖型又は開放型のスプリンクラーヘッド５（図示例では第１〜４のスプリンクラーヘッド５Ａ〜５Ｄ）はそれぞれ往き用給水ヘッダー１の各分岐口６（図示例では第１〜４の分岐口６Ａ〜６Ｄ）とポリブテン管等よりなる往き用分岐管８（図示例では第１〜４の往き用分岐管８Ａ〜８Ｄ）で、また還り用給水ヘッダー２の各分岐口７（図示例では第１〜４の分岐口７Ａ〜７Ｄ）とポリブテン管等よりなる還り用分岐管９（図示例では第１〜４の還り用分岐管９Ａ〜９Ｄ）でそれぞれ接続する。
【００１１】
往き用分岐管８のヘッド側端部および還り用分岐管９のヘッド側端部と各スプリンクラーヘッド５とは図２に示す末端継手１０で接続する。末端継手１０は、内部の管路がＹ字形状をなしており、第１，２の接続口１１Ａ、１１Ｂ、および該接続口１１Ａ、１１Ｂにそれぞれ連通する第３の接続口１１Ｃを有する。各末端継手１０の第１の接続口１１Ａには各往き用分岐管８（８Ａ〜８Ｄ）のヘッド側端部が、第２の接続口１１Ｂには各還り用分岐管９（９Ａ〜９Ｄ）のヘッド側端部がそれぞれ接続され、第３の接続口１１Ｃにはスプリンクラーヘッド５（５Ａ〜５Ｄ）が接続される。
【００１２】
還り用給水ヘッダー２の二次側端部２Ｅはトイレ、浴室、台所等の給水栓１２とポリブテン管等よりなる第２給水配管１３で接続する。
【００１３】
往き用分岐管８の管径が細くてスプリンクラーヘッド５から十分に散水できない場合は、第１給水配管４と第２給水配管１３との間に火災感知器（図示せず）に連動して開く電磁弁あるいは電動弁等の弁１４を介在させることで、火災感知器との連動により作動するスプリンクラーヘッド５には往き用分岐管８と還り用分岐管９の両方から水道水を送ることができるようにする。
【００１４】
上記のように構成された水道連結型スプリンクラー設備によれば、往き用給水ヘッダー１と還り用給水ヘッダー２の２個の給水ヘッダーを備え、一対の往き用分岐管８と還り用分岐管９により各スプリンクラーヘッド５とを接続し、還り用給水ヘッダー２の二次側端部２Ｅとトイレ等の給水栓１２とを接続しているので、停滞水および停滞空気の発生を防止できる。
しかも、既設建物の天井の点検口を利用し、この点検口または点検口近傍に往き用給水ヘッダー１及び還り用給水ヘッダー２を設置することで、天井をはがさないで済み、入居したままでの配管が可能であり、最小限の改修にとどめることができる。
【図面の簡単な説明】
【００１５】
【図１】本発明の一実施例を示す水道連結型スプリンクラー設備の構成図である。
【図２】図１の水道連結型スプリンクラー設備に使用する末端継手の外観斜視図である。
【符号の説明】
【００１６】
１  往き用給水ヘッダー
２  還り用給水ヘッダー
３  給水管
４  第１給水配管
５  スプリンクラーヘッド
６  往き用給水ヘッダーの分岐口
７  還り用給水ヘッダーの分岐口
８  往き用分岐管
９  還り用分岐管
１２  給水栓
１３  第２給水配管
１４  弁
【図１】
2010046371.tif 000003
【図２】
2010046371.tif 000004